(57)【要約】      （修正有）【課題】トランジットアプリケーションにおいて使用される記憶値カードを提供し、リロードし、兌換するシステム及び方法を提供する。【解決手段】方法は、トランジットカードに関係付けられている取引において、兌換要求を受け取ると、その要求が事前認可要求であるか又は兌換であるかを決定し、兌換要求が事前認可要求である場合、特定のトランジットタイプに対してアカウントを認可するか否かを決定する。アカウントが認可された場合は、承認をトランジットプロセッサに通知する。認可されない場合は、拒否を通知する。兌換要求が兌換である場合、アカウント値が兌換額を支払うために十分であるか否かを決定し、十分でない場合、拒否し、十分である場合、取引を承認して額を差し引き、アカウント値が特定のトランジットタイプに対して予め定められた閾値より少ないか否かを決定し、少ない場合、データストアにおけるアカウントのステータスを更新する。【選択図】図５
2020074138.tif 000002
【特許請求の範囲】
【請求項１】
トランジットカード取引を行う方法において、
前記方法は、トランジットカードに関係付けられているアカウントと前記アカウントのステータスを含むデータストアとを含む中央プロセッサと、トランジットプロセッサとの間で行われ、
前記方法は、
前記中央プロセッサにおいて、前記トランジットプロセッサから、前記トランジットカードを識別する情報を含む兌換要求を受け取ることと、
前記兌換要求が、特定のトランジットタイプに対する事前認可要求であるか、または、料金兌換要求であるかを、前記中央プロセッサによって決定することと、
前記兌換要求が事前認可要求であると決定すると、
前記アカウントのステータスを含むファクターに基づいて、前記特定のトランジットタイプに対する取引に対して前記アカウントを認可するか否かを、前記中央プロセッサによって決定することと、
前記アカウントが前記特定のトランジットタイプに対する取引に対して認可された場合、
事前認可の承認を前記トランジットプロセッサに通信することと、
前記アカウントが前記特定のトランジットタイプに対する取引に対して認可されない場合、
事前認可の拒否を前記トランジットプロセッサに通信することと、
前記兌換要求が料金兌換要求であると決定すると、
前記アカウントに関係付けられている値が、前記料金兌換要求によって要求された額より多いまたは等しいか否かを、前記中央プロセッサによって決定することと、
前記アカウントに関係付けられている値が、前記料金兌換要求によって要求された額より少ない場合、前記料金兌換要求の拒否を前記トランジットプロセッサに通信することと、
前記アカウントに関係付けられている値が、前記料金兌換要求によって要求された額より多いまたは等しい場合、
前記料金兌換要求の承認を前記トランジットプロセッサに通信することと、
設定料金兌換要求の額を前記アカウントから差し引くことと、
前記アカウントに関係付けられている値の額が、１つ以上の特定のトランジットタイプに対する予め定められたしきい値より少ないか否かを決定することと、少ない場合、前記データストアにおける前記アカウントのステータスを更新することとを含む方法。
【請求項２】
前記トランジットカードを識別する情報は、前記トランジットカード上にプリントされたまたはストアされた機械読取可能しるしを含む請求項１記載の方法。
【請求項３】
前記中央プロセッサにおいて、小売ポイントオブセール（ＰＯＳ）から、前記トランジットカードを識別する情報を含むアクティブ化要求を受け取ることと、
前記中央プロセッサによって、前記トランジットカードを識別する情報が有効であるか否かと、前記トランジットカードに関係付けられているアカウントとを決定することと、  前記中央プロセッサによって、前記トランジットカードをアクティブ化することとをさらに含む請求項１記載の方法。
【請求項４】
前記トランジットカードは、アクティブ化より前にパッケージ中に配置され、前記アクティブ化要求は、前記パッケージから、前記ＰＯＳによって読み取られる、または、取得される情報をさらに含む請求項３記載の方法。
【請求項５】
特定のトランジットタイプは、タクシーと、バスと、地下鉄と、道路または橋の料金と、駐車メーターと、列車またはライトレールと、トロリーと、車レンタルとからなるグループから選択される請求項１記載の方法。
【請求項６】
前記トランジットプロセッサは、トランジットシステムの間の中央に位置している請求項１記載の方法。
【請求項７】
前記トランジットプロセッサは、特定のトランジットタイプに関係付けられている請求項１記載の方法。
【請求項８】
前記トランジットプロセッサは、特定のポイントオブセールプロセッサに関係付けられている請求項１記載の方法。
【請求項９】
料金兌換要求において使用した前記特定のトランジットタイプから出ることが必要であり、前記アカウントに関係付けられている値が、前記料金兌換要求によって要求された額よりも少ないと前記中央プロセッサによって決定されると、
前記アカウントにおける値の総額に対する取引を認可することと、
前記アカウントから前記料金兌換要求の額を差し引き、それによって、前記アカウント中に負の残高を生じさせることとをさらに含む請求項１記載の方法。
【請求項１０】
前記方法が、リアルタイムまたはほぼリアルタイムで実行される請求項１記載の方法。
【請求項１１】
前記料金兌換要求は、駐車、運転または料金の違反に対する召喚に関係付けられている請求項１記載の方法。
【請求項１２】
前記アカウントを使用して前記召喚の支払いをすると、前記アカウントを終了し、それによって、前記トランジットカードの将来の使用を無効にする請求項１１記載の方法。
【請求項１３】
トランジットカードを使用するまたはトランジットカードに関係付けられている、取引を行うシステムにおいて、
小売ポイントオブセール（ＰＯＳ）と、
トランジットプロセッサと、
前記小売ＰＯＳおよび前記トランジットプロセッサと選択的に通信する中央プロセッサとを具備し、
前記中央プロセッサは、
前記トランジットカードに関係付けられている１つ以上の記録を含み、前記トランジットカードに関係付けられている値の額を示す第１のデータストアと、
取引に対して認可されていない、前記トランジットカードを含み得る、１枚以上のトランジットカードに関係付けられている１つ以上の記録を含む第２のデータストアと、
プロセッサとを備え、前記プロセッサは、
前記トランジットカードをアクティブ化するために、前記小売ＰＯＳからアクティブ化要求を受け取るようにと、ここで、前記アクティブ化要求は前記トランジットカードを特定する情報を備え、
前記トランジットプロセッサから兌換要求を受け取るようにと、
前記兌換要求が特定のトランジットタイプに対する事前認可要求であるか否かを決定するようにと、前記兌換要求が特定のトランジットタイプに対する事前認可要求である場合に、前記アカウントのステータスを含むファクターに基づいて、前記特定のトランジットタイプに対する取引に対して前記アカウントを認可するか否かを決定するようにと、
前記兌換要求が事前認可要求であるか、または、料金兌換要求であるか否かを決定するようにと、前記アカウントに関係付けられている値が、前記料金兌換要求によって要求された額より多いまたは等しい場合、前記取引要求の承認を前記トランジットプロセッサに通信するようにと
をするように構成されるシステム。
【請求項１４】
１つ以上のトランジットタイプのうちのそれぞれの上に配置された、または、１つ以上のトランジットタイプのうちのそれぞれに関係付けられている、ポイントオブセールをさらに具備する請求項１３記載のシステム。
【請求項１５】
前記１つ以上のトランジットタイプは、タクシーと、バスと、地下鉄と、道路または橋の料金と、駐車メーターと、列車またはライトレールと、トロリーと、車レンタルとからなるグループから選択される請求項１４記載のシステム。
【請求項１６】
政府機関に関係付けられている政府プロセッサをさらに具備し、前記プロセッサは、召喚に関する取引を処理するように構成され、前記中央プロセッサは、前記政府プロセッサと選択的に通信する請求項１３記載のシステム。
【請求項１７】
識別しるしを備えるトランジット使用カードと、
識別しるしを備えるトランジットリロードカードとをさらに具備し、
前記トランジット使用カードおよび前記トランジットリロードカードのそれぞれは、互いに関係付けられ、前記第１のデータストア中の前記１つ以上の記録に関係付けられ、  前記トランジットプロセッサは、兌換取引の間、前記トランジット使用カードの前記識別しるしを受け取るように構成され、
前記小売ＰＯＳは、リロード取引の間、前記トランジットリロードカードの前記識別しるしを受け取るように構成されている請求項１３記載のシステム。
【請求項１８】
パッケージをさらに具備し、前記パッケージは、
前記トランジット使用カードと、
前記トランジットリロードカードと、
前記トランジット使用カードと前記トランジットリロードカードとをアクティブ化するために前記小売ＰＯＳによって使用されるアクティブ化しるしとを備える請求項１３記載のシステム。
【発明の詳細な説明】
【発明の背景】
【０００１】
［０００１］
本発明は、２０１２年８月８日に出願された米国仮特許出願番号第６１／６８０，８０２号に対する優先権を主張し、その全体がここに組み込まれている。本発明は一般的に、トランジットアプリケーションにおける記憶値カード取引を行うシステムおよび方法に向けられている。具体的には、本発明は、トランジットアプリケーションにおいて使用される記憶値カードの小売と、配付と、リロードと、兌換とに向けられている。
【０００２】
［０００２］
異なるトランジットタイプに対して異なる支払いの形態を要求または利用することがトランジットシステムにとって一般的になっている。例えば、地下鉄は地下鉄トークンを要求するかもしれない一方で、バスは、バスパスを要求するかもしれない。列車は、チケットを要求するかもしれない一方で、道路通行料金は、現金払いを要求するかもしれない。複数のトランジットタイプの支払いは、ユーザに不便であることがある。したがって、１つ以上のトランジットタイプにおいて、値ソースを兌換できるシステムが望ましい。
【０００３】
［０００３］
さらに、さまざまな記憶値を使用できるようにするトランジット支払いシステムは、タイムリーな登録を、トランジットカードまたはトランスポンダに対する登録とトランジットカードまたはトランスポンダを受け取ることとの間の猶予を要求することが多い。したがって、ポイントオブセールにおいて、トランジットカードおよび／またはトランスポンダを購入する能力が望ましい。
【発明の概要】
【０００４】
［０００４］
本発明のいくつかの実施形態にしたがう態様は、トランジットカード取引を行う方法を含んでいてもよく、方法は、トランジットカードに関係付けられているアカウントとアカウントのステータスを含むデータストアとを含む中央プロセッサと、トランジットプロセッサとの間で行われ、方法は、中央プロセッサにおいて、トランジットプロセッサから、トランジットカードを識別する情報を含む兌換要求を受け取ることと、兌換要求が、特定のトランジットタイプに対する事前認可要求であるか、または、料金兌換要求であるかを、中央プロセッサによって決定することと、兌換要求が事前認可要求であると決定すると、アカウントのステータスを含むファクターに基づいて、特定のトランジットタイプに対する取引に対してアカウントを認可するか否かを、中央プロセッサによって決定することと、アカウントが特定のトランジットタイプに対する取引に対して認可された場合、事前認可の承認をトランジットプロセッサに通信することと、アカウントが特定のトランジットタイプに対する取引に対して認可されない場合、事前認可の拒否をトランジットプロセッサに通信することと、兌換要求が料金兌換要求であると決定すると、アカウントに関係付けられている値が、料金兌換要求によって要求された額より多いまたは等しいか否かを、中央プロセッサによって決定することと、アカウントに関係付けられている値が、料金兌換要求によって要求された額より少ない場合、料金兌換要求の拒否をトランジットプロセッサに通信することと、アカウントに関係付けられている値が、料金兌換要求によって要求された額より多いまたは等しい場合、料金兌換要求の承認をトランジットプロセッサに通信することと、設定料金兌換要求の額をアカウントから差し引くことと、アカウントに関係付けられている値の額が、１つ以上の特定のトランジットタイプに対する予め定められたしきい値より少ないか否かを決定することと、少ない場合、データストアにおけるアカウントのステータスを更新することとを含む。
【０００５】
［０００５］
本発明のいくつかの実施形態にしたがういくつかの態様は、トランジットカード取引を行う方法を含んでいてもよく、方法は、トランジットカードに関係付けられているアカウントとアカウントのステータスを含むデータストアとを含む中央プロセッサと、トランジットプロセッサとの間で行われ、方法は、中央プロセッサにおいて、小売ポイントオブセール（ＰＯＳ）から、トランジットカードを識別する情報を含むアクティブ化要求を受け取ることと、中央プロセッサによって、トランジットカードを識別する情報が有効であるか否かと、トランジットカードに関係付けられているアカウントとを決定することと、中央プロセッサによって、トランジットカードをアクティブ化することと、中央プロセッサにおいて、トランジットプロセッサから、トランジットカードを識別する情報を含む兌換要求を受け取ることと、兌換要求が、特定のトランジットタイプに対する事前認可要求であるか、または、料金兌換要求であるかを、中央プロセッサによって決定することと、兌換要求が事前認可要求であると決定すると、アカウントのステータスを含むファクターに基づいて、特定のトランジットタイプに対する取引に対してアカウントを認可するか否かを、中央プロセッサによって決定することと、アカウントが特定のトランジットタイプに対する取引に対して認可された場合、事前認可の承認をトランジットプロセッサに通信することと、アカウントが特定のトランジットタイプに対する取引に対して認可されない場合、事前認可の拒否をトランジットプロセッサに通信することと、兌換要求が料金兌換要求であると決定すると、アカウントに関係付けられている値が、料金兌換要求によって要求された額より多いまたは等しいか否かを、中央プロセッサによって決定することと、アカウントに関係付けられている値が、料金兌換要求によって要求された額より少ない場合、料金兌換要求の拒否をトランジットプロセッサに通信することと、アカウントに関係付けられている値が、料金兌換要求によって要求された額より多いまたは等しい場合、料金兌換要求の承認をトランジットプロセッサに通信することと、設定料金兌換要求の額をアカウントから差し引くことと、アカウントに関係付けられている値の額が、１つ以上の特定のトランジットタイプに対する予め定められたしきい値より少ないか否かを決定することと、少ない場合、データストアにおけるアカウントのステータスを更新することとを含む。
【０００６】
［０００６］
本発明のいくつかの実施形態にしたがういくつか態様は、トランジットカード取引を行う方法を含んでいてもよく、方法は、トランジットカードに関係付けられているアカウントとアカウントのステータスを含むデータストアとを含む中央プロセッサと、トランジットプロセッサとの間で行われ、方法は、中央プロセッサにおいて、トランジットプロセッサから、トランジットカードを識別する情報を含む兌換要求を受け取ることと、兌換要求が、特定のトランジットタイプに対する事前認可要求であるか、または、料金兌換要求であるかを、中央プロセッサによって決定することと、兌換要求が事前認可要求であると決定すると、アカウントのステータスを含むファクターに基づいて、特定のトランジットタイプに対する取引に対してアカウントを認可するか否かを、中央プロセッサによって決定することと、アカウントが特定のトランジットタイプに対する取引に対して認可された場合、事前認可の承認をトランジットプロセッサに通信することと、アカウントが特定のトランジットタイプに対する取引に対して認可されない場合、事前認可の拒否をトランジットプロセッサに通信することと、兌換要求が料金兌換要求であると決定すると、アカウントに関係付けられている値が、料金兌換要求によって要求された額より多いまたは等しいか否かを、中央プロセッサによって決定することと、アカウントに関係付けられている値が、料金兌換要求によって要求された額より少ない場合、料金兌換要求において使用した特定のトランジットタイプから出ることが必要であるか否かを決定することと、出ることが必要である場合、アカウントにおける値の総額に対する取引を認可することと、アカウントから料金兌換要求を差し引き、それによって、アカウント中に負の残高を生じさせることと、出ることが必要でない場合、料金兌換要求の拒否をトランジットプロセッサに通信することと、アカウントに関係付けられている値が、料金兌換要求によって要求された額より多いまたは等しい場合、料金兌換要求の承認をトランジットプロセッサに通信することと、設定料金兌換要求の額をアカウントから差し引くことと、アカウントに関係付けられている値の額が、１つ以上の特定のトランジットタイプに対する予め定められたしきい値より少ないか否かを決定することと、少ない場合、データストアにおけるアカウントのステータスを更新することとを含む。
【０００７】
［０００７］
本発明のいくつかの実施形態にしたがういくつか態様は、トランジットカードを使用するまたはトランジットカードに関係付けられている取引を行うシステムを含んでいてもよく、システムは、小売ポイントオブセール（ＰＯＳ）と、トランジットプロセッサと、小売ＰＯＳおよびトランジットプロセッサと選択的に通信する中央プロセッサとを具備し、中央プロセッサは、トランジットカードに関係付けられている１つ以上の記録を含み、トランジットカードに関係付けられている値の額を示す第１のデータストアと、取引に対して認可されていないトランジットカードを含んでいるかもしれない、１枚以上のトランジットカードに関係付けられている１つ以上の記録を含む第２のデータストアと、プロセッサとを備え、プロセッサは、小売ＰＯＳからアクティブ化要求を受け取って取引カードをアクティブ化するようにと、トランジットプロセッサから兌換要求を受け取るようにと、兌換要求が特定のトランジットタイプに対する事前認可要求であるか否かを決定するようにと、兌換要求が特定のトランジットタイプに対する事前認可要求である場合に、アカウントのステータスを含むファクターに基づいて、特定のトランジットタイプに対する取引に対してアカウントを認可するか否かを決定するようにと、兌換要求が料金兌換要求であるか否かを決定するようにと、アカウントに関係付けられている値が、料金兌換要求によって要求された額より多いまたは等しい場合、取引要求の承認をトランジットプロセッサに通信するように構成され、アクティブ化要求はトランジットカードを識別する情報を含む。
【０００８】
［０００８］
本発明の新規概念の精神および範囲から逸脱することなく、バリエーションおよび修正がもたらされるかもしれないが、以下の図とともに本発明の以下の記述から、これらおよび他の態様が明らかになるだろう。
【図面の簡単な説明】
【０００９】
［０００９］
本発明は、添付の図とともに以下の詳細な説明を読むことにより十分に理解することができ、図面において、同様の参照インジケータは、同様のエレメントを表すように使用されている。添付の図は、ある例示的な実施形態を描写し、以下の詳細な説明を理解することを助けるかもしれない。本発明の任意の実施形態を詳細に説明する前に、本発明は、この出願において、以下の記述で述べるまたは図において図示する、構成の詳細およびコンポーネントのアレンジメントに限定されないと理解すべきである。描写した実施形態は、例示として理解すべきであり、本発明の全体的な範囲を決して限定しない。ここで使用する表現および専門用語は記述の目的のためであり、限定として考えるべきではないとも理解すべきである。詳細な説明では、以下の図を参照するだろう。
【００１０】
［００１０］
【図１Ａ】図１Ａは、本発明のいくつかの実施形態にしたがった、トランジットリロードカードとのトランジット使用カードの例示的なアレンジメントを図示している。    ［００１１］
【図１Ｂ】図１Ｂは、本発明のいくつかの実施形態にしたがった、トランジット使用カードとトランジットリロードカードとをアクティブ化する例示的な方法を図示している。    ［００１２］
【図２】図２は、本発明のいくつかの実施形態にしたがった、トランジット使用カードとトランジットリロードカードとアカウントとの間の例示的な関係を図示している。    ［００１３］
【図３】図３は、本発明のいくつかの実施形態にしたがった、トランジット使用カードとトランジットリロードカードとアカウントとの間の例示的な関係を図示している。    ［００１４］
【図４】図４は、本発明のいくつかの実施形態にしたがった、さまざまなパースを有する例示的なアカウントのアレンジメントを図示している。    ［００１５］
【図５】図５は、本発明のいくつかの実施形態にしたがった、トランジット使用カードにより取引を行う例示的な方法を図示している。    ［００１６］
【図６】図６は、本発明のいくつかの実施形態にしたがった、トランジットリロードカードによりリロード取引を行う例示的な方法を図示している。    ［００１７］
【図７】図７は、本発明のいくつかの実施形態にしたがった、トランジット使用カードの販売を行う例示的な方法を図示している。    ［００１８］
【図８】図８は、本発明のいくつかの実施形態にしたがった、例示的なリロード取引を図示している。    ［００１９］
【図９】図９は、本発明のいくつかの実施形態にしたがった、例示的な使用取引を図示している。    ［００２０］
【図１０】図１０は、本発明のいくつかの実施形態にしたがった、トランジットカードの例示的な販売を図示している。
【００１１】
［００２１］
本発明の任意の実施形態を詳細に説明する前に、この出願において、以下の記述で述べるまたは図において図示する、構成の詳細およびコンポーネントのアレンジメントに本発明は、限定されないと理解すべきである。本発明は、他の実施形態が可能であり、さまざまな方法で実施または実行することが可能である。ここで使用する表現および専門用語は記述の目的のためであり、限定として考えるべきではないとも理解すべきである。
【発明の詳細な説明】
【００１２】
［００２２］
この記述において例示する事項は、添付の図を参照して開示されるさまざまな例示的な実施形態の包括的な理解を支援するために提供される。したがって、特許請求の範囲に記載されている発明の精神および範囲から逸脱することなく、ここで記述した例示的な実施形態のさまざまな変更および改良ができると、当業者であれば認識するだろう。明瞭さおよび簡潔さのために、既知の機能および構成の記述は省略した。さらに、ここで使用しているように、単数形は複数形で解釈してもよく、代わりに、複数形の任意の用語は単数形で解釈してもよい。
【００１３】
［００２３］
本発明は、少なくとも１枚のカードにリンクされている記憶値アカウントの使用を企図している。リーダの近くにある間、あるいは、リーダにコンタクトするまたは「タップする」とトリガされて、支払いができるように、カードは近距離のトランスポンダまたはタグ（例えば、ＲＦＩＤ（無線周波数識別）タグ）を備えていてもよい。カードは、さまざまトランジットシステムおよび／または機関において、ならびに／あるいは、さまざまトランジットシステムおよび／または機関により使用されてもよい。例えば、地下鉄運賃、バス運賃、タクシー運賃、道路および／または橋の料金、ならびに／あるいは、他の何らかの種類のトランジット請求金額、の支払いに、ユーザはカードを使用してもよい。
【００１４】
［００２４］
カードは、カードのシリアル番号または他の識別番号を明らかにする少なくとも１つのしるしを含んでいてもよい。トランジットシステムにおけるカードの使用が、結果として記憶値アカウントから値を減らすように、このしるしは記憶値アカウントに関係付けられていてもよい。
【００１５】
［００２５］
本発明のいくつかの実施形態にしたがうと、第２のカードも記憶値アカウントに関係付けられていてもよいが、近距離のトランスポンダ、リーダ、またはタグを備えていないかもしれない。第２のカードは、記憶値に関係付けられていてもよい機械読取可能しるし（例えば、バーコードまたは磁気ストライプ）を含んでいてもよい。この関係を使用して、さまざまなポイントオブセール端末において第２のカードを提示し、−値を減らすよりもむしろ−記憶値アカウントに値を追加するために第２のカードを使用してもよい。
【００１６】
［００２６］
この方法で、第１のカードのユーザに対するある程度の匿名性が維持できる。識別情報を含んでいるかもしれない支払い−例えば、クレジットカードまたはデビットカード（ｄｄａ）の支払い−は、第２のカードだけに関係付けられていてもよい。第１のカードの使用は、記憶値アカウントに値を提供したのと同じユーザによってでもよく、または、記憶値アカウントに値を提供したのと同じユーザによらなくてもよい。
【００１７】
［００２７］
この方法で、関係者はトランジットカードを他の関係者に提供できる。例えば、親はその子供にトランジットカードを提供できる。手当として、または、公共交通機関を奨励するためのいずれかとして、事業主は従業員にトランジットカードを提供してもよい。本発明のいくつかの実施形態にしたがうと、州または連邦機関は、低所得または他の識別された関係者にトランジットカードを提供してもよい。
【００１８】
［００２８］
２枚のカード−近距離可能カードと機械読取可能リロードカード−は互いに結び付けられていてもよく、そうでなければ互いに関係付けられていてもよい。例えば、カードの印刷者または製造者において、あるいは、中央処理関係者または他の第三者エンティティによって後に、この関係付けは生じるかもしれない。本発明のいくつかの実施形態にしたがうと、非提携カードは、他のソースからの支払いを実行するために、機械読取可能カードよりもむしろ近距離可能カードに関係付けられていてもよい。例えば、−ビザのような−一般的なプリペイドカードを近距離可能カードに関係付けて、基礎となる記憶値アカウントに支払を提供してもよい。本発明のいくつかの実施形態にしたがうと、値アカウントの他の形態を関係付けてもよい。例えば、顧客報酬またはロイヤルティーポイントを、特定量の値に関係付けて、近距離トランジットカードに関係付けてもよい。同様に、マイレージサービスのマイルまたは他のこのような値タイプを関係付けてもよい。
【００１９】
［００２９］
２枚のカード−近距離可能カードと機械読取可能リロードカード−を共にパッケージ化して売り出してもよいことが、本発明によって企図されている。例えば、これは同じパッケージ中にあるかもしれないが、同じパッケージ中にあることは要求されない。本発明のいくつかの実施形態にしたがうと、機械読取可能リロードカードを異なる場所の異なるユーザにさえも配付させて、その後、近距離可能トランジットカードの基礎となる記憶値アカウントにリンクまたは関係付させるように、カードを別々に配付できる。このような実施形態は、例えば、上記で説明した、親と事業主と連邦機関との例に対して有利であるかもしれない。
【００２０】
［００３０］
本発明のいくつかの実施形態にしたがうと、近距離可能カードと機械読取可能リロードカードとの間の関係の比は１対１である必要はない。言い換えると、近距離可能トランジットカードは、１枚より多い機械読取可能リロードカードから資金供給することができる記憶値アカウントにアクセスすることができる。したがって、トランジットカードのユーザは、基礎となる記憶値カードに値を追加でき、第三者（例えば、親、事業主、政府機関等）も値を追加することができる。同様に、単一の機械読取可能リロードカードを、１枚より多いトランジットカードにリンクさせることができる。このような実施形態において、複数のトランジットカードはそれぞれ、同じ記憶値アカウントにアクセスして同じ記憶値アカウントを減らし、または、複数のトランジットカードはそれぞれ、トランジットカード自身のアカウントにアクセスしてトランジットカード自身のアカウントを減らし、機械読取可能リロードカードを使用するリロード取引は、値を追加するための特定のアカウントを識別する必要があるかもしれない。
【００２１】
［００３１］
図１を参照すると、トランジット使用カード１１０とトランジットリロードカード１２０との例示的なパッケージング１００が描写されている。パッケージング１００は、トランジット使用カード１１０とトランジットリロードカード１２０とを含んでいてもよい。パッケージング１００は、もしあれば、使用カードの初期ロード値に関する情報１０１をさらに含んでいてもよく、または、ユーザが選択した任意の額で使用カードをロードできることを示し、額のオプション等を提供してもよい。機械読取可能である−例えば、バーコード、ＱＲコード（登録商標）、磁気ストライプ、無線周波数識別（ＲＦＩＤ）タグ等の、パッケージングしるし１０２も、パッケージングは含んでいてもよい。パッケージングしるし１０２は、パッケージング１００と関係付けられていてもよく、以下でより詳細に説明するように、使用カード１１０とリロードカード１２０とをアクティブ化するために使用してもよい。代替的に、パッケージングしるし１０２は、使用カード１１０とリロードカード１２０とをアクティブ化するために使用せず、むしろ、単に、マーチャントまたは小売業者が在庫または販売を追跡するための在庫管理デバイスとして使用してもよい。これに関して、パッケージングしるし１０２を、在庫管理単位（ＳＫＵ）または万国価格コード（ＵＰＣ）としてみなし、または在庫管理単位（ＳＫＵ）または万国価格コード（ＵＰＣ）として使用してもよい。
【００２２】
［００３２］
使用カード１１０は、機械読取可能、通信可能またその他である、１つ以上のしるしを含んでもよい。例えば、使用カード１１０は、使用カードを識別できる使用カード識別しるし１１１を含んでいてもよい。図１を参照すると、使用カード識別しるし１１１は、使用カード番号が「１２３４  ５６７８」であることを示している。使用カード１１０は、磁気ストライプ、バーコード等のような、使用カード機械読取可能しるし１１２をさらに含んでいてもよい。使用カード機械読取可能しるし１１２は、使用カード識別しるし１１１を全体または部分的に組み込んでいてもよく、追加の情報を含んでいてもよい。例えば、使用カード１１０を使用する取引が適切にルーティングされるように、使用カード機械読取可能しるし１１２は、イシュアー識別番号（ＩＩＮ）または銀行識別番号（ＢＩＮ）を含んでいてもよい。代替的に、使用カード機械読取可能しるし１１２は、使用カード識別しるし１１１とは完全に異なるしるしを表してもよい。
【００２３】
［００３３］
使用カード１１０は、通信能力を有する、または、そうでなければ使用カード１１０に通信能力を提供する、エレメント１１３、１１４をさらに含んでいてもよいことに着目すべきである。例えば、エレメント１１３は、ＲＦＩＤ可能ポイントオブセール（ＰＯＳ）システムとの通信を（受動的または別の方法で）提供できるＲＦＩＤタグであってもよい。同様に、エレメント１１４は、さまざまなＰＯＳデバイスと通信できる電力供給近距離送信機であってもよい。この方法では、手動で識別しるし１１１を提供するよりむしろ、ならびに／あるいは、機械読取可能しるし１１２をスワイプまたは読み取るよりもむしろ、使用カード１１０をあるＰＯＳシステムに「タップ」してもよい。
【００２４】
［００３４］
リロードカード１２０は同様に、リロードカード１２０を一意的にまたは準一意的に識別するリロード識別しるし１２１を含んでいてもよい。例えば、図１を参照すると、リロード識別しるし１２１は、リロードカードが「ＡＢＣＤ  ＥＦＧＨ」によって識別されることを示している。リロードカード１２０は、例えば、磁気ストライプおよび/またはバーコードを備える、１つ以上のリロード機械読取可能しるし１２２、１２３をさらに含んでいてもよい。リロード取引の間、リロードカード１２０を識別するために、このような機械読取可能しるし１２２、１２３を使用してもよい。
【００２５】
［００３５］
図１Ｂを参照して、例示的なアクティブ化プロセスをこれから説明する。１３０において、使用カードとリロードカートとが互いに関係付けられる。カードが製造された後に、すなわち、カードがいつ製造されたかにかかわらず、データベース中のそれぞれのカードからのしるしを関係付けるまたは結び付けることによって、アクティブ化は生じてもよい。１３５において、使用カードとリロードカードは、アクティブ化しるし、例えば、図１Ａにおいて述べたパッケージングしるし１０２に関係付けられてもよい。代替的に、リロードカードと使用カードは互いに関係付けられていることから、カードのうちの１枚のみが、アクティブ化しるしに直接関係付けられてもよい。
【００２６】
［００３６］
１４０において、使用カードとリロードカードは、ともにパッケージ化され、１４５においてアクティブ化しるしがパッケージ上にプリントまたはストアされてもよい。代替的に、パッケージングはアクティブ化しるしとともにプリントされてもよく、アクティブ化しるしは、−パッケージングの後に−使用カードとリロードカードとに関係付けられてもよい。
【００２７】
［００３７］
後続する時間における、１５０において、アクティブ化しるしがＰＯＳから中央プロセッサで受け取られる。中央プロセッサは、１５５において、アクティブ化しるしが有効であると確認し、１６０において、アクティブ化しるしから、使用カードとリロードカードとを識別してもよい。使用カードはその後、使用のためにアクティブ化され、リロードカードは、リロード能力を提供するためにアクティブ化される。
【００２８】
［００３８］
使用カードとリロードカードとを「アクティブ」状態で販売し、基礎となるアカウントに値を配置すること、または、このようなアカウント中の値において指示されている保留を解放することのいずれかによって、代わりに、アクティブ化取引がこのような基礎となるアカウントをアクティブ化することも企図されていることに着目すべきである。
【００２９】
［００３９］
図２を参照して、本発明のいくつかの実施形態にしたがった、トランジット使用カードと、トランジットリロードカードと、アカウントとの間の例示的な関係をこれから説明する。図２中に見ることができるように、使用カード２１０はリロードカート２２０に関係付けられている。使用カード２１０は、基礎となるアカウント２３０にも関係付けられている。アカウント２３０は、（銀行アカウント、クレジットアカウント、または、他の金融アカウントのような）値アカウントであってもよく、あるいは、次に、金融の額またはアカウントに関係付けられるデータベースアカウントであってもよい。図２を参照すると、使用カードが主なカードであり、リロードカード２２０を使用するリロード取引は、使用カード２１０の識別を要求してもよく、そして、値アカウント２３０が使用カード２１０に関係付けられている。
【００３０】
［００４０］
対照的に、図３は、本発明のいくつかの実施形態にしたがった、トランジット使用カードと、トランジットリロードカードと、アカウントとの間の代替的で例示的な関係を図示している。図３を参照すると、使用カード３１０とリロードカード３２０は、両方がアカウント３３０に関係付けられている。このアレンジメントを通して、追加のセキュリティおよび／または匿名性が達成されるかもしれない。例えば、リロードカード３２０は使用カード３１０とのつながりを持たず、カードの使用の詳細は、リロードカードにアクセスを有する者に、または、リロードカードにアクセスを有する者によって、知られないまたは得られない。上記で着目したように、リロードカード３２０を所持または利用する関係者が、使用カード３１０を所有するまたは使用する関係者とは異なるときに、このようなアレンジメントは望ましいかもしれない。
【００３１】
［００４１］
使用カードおよび／またはリロードカードに関係付けられているアカウントは、１つ以上のパースを含んでいてもよく、パースは次に１つ以上サブパースを含んでいてもよいことも、本発明によって企図されている。このようなパースは、同じまたは異なる特性を有していてもよい。例えば、地下鉄または鉄道のような、スケールの大きい、効率の高い交通機関を人が使用するのを促進することを、交通機関当局は望むかもしれない。したがって、地下鉄または鉄道において使用するためのパース中の１ドルは、１．２５ドルの価値があってもよい。対照的に、有料道路パースまたは駐車パースにおける１ドルは、１ドルと等しいかもしれない。
【００３２】
［００４２］
異なるパース特性の使用を通して、関係者はある活動を促進または奨励するかもしれない。親が彼または彼女の子供にトランジットカードを提供する場合、彼ら自身の車を購入するよりもむしろ、子供が車レンタルまたはジップカーサービスを使用することを親は望むかもしれない。それで、子供が車レンタルを使用するのを促進するために、１ドルが１．５ドルと同等であるような車レンタルパースの値特性を、親は提供するかもしれない。１人以上のユーザにとって促進されるものは、システム全体にわたって促進されるものではないかもしれないため、パースの異なる値特性は望ましいかもしれない。したがって、トランジットカードで購入されるサービスの価格を調節するよりむしろ、トランジットカード中のそれぞれのパースに関係付けられている値の額が個別に（またはグループとして）調節されるかもしれない。
【００３３】
［００４３］
例えば、アカウントは、チケットにまたはトランジットの間に負うかもしれない他の負担に向けられているパースを含んでいてもよい。トランジットカードを利用してチケットを支払う場合、値特性は、即時のまたは迅速なチケットの支払いを促進するかもしれない。例えば、発行されるとすぐに、トランジットカードを使用してチケットが支払われると、１ドルが１．１５ドルと同等かもしれない。値のこのような増加（またはチケットの額における対応する減少）は、チケット支払収集に関係することが多い管理コストの減少によって有効になるかもしれない。
【００３４】
［００４４］
いくつかの実施形態にしたがうと、使用カードはトランジット料金を提供するために使用されてもよく、または、チケットに対する支払いを提供するために使用されてもよいが、両方には使用されない。代替的に、トランジットカードは、トランジット料金に対して使用されてもよいが、一度チケットに対する支払いに使用されると、トランジットカードは非アクティブ化され、新たなトランジットカードが取得されるかもしれない。
【００３５】
［００４５］
図４を参照すると、アカウント４０が１つ以上のパースを含んでいる。例えば、アカウント４０は、有料道路パース４１０と、駐車パース４２０と、タクシーパース４３０と、チケット／負担パース４４０と、車レンタル／ジップカーパース４５０とを含んでいてもよい。同様に、アカウント４０は、公共交通機関パース４６０も含んでいてもよく、次に公共交通機関パース４６０は、バスサブパース４６１と地下鉄／鉄道サブパース４６２とを含んでいてもよい。上記で着目したように、これらのパースのそれぞれは、異なる値特性を含んでいてもよい。
【００３６】
［００４６］
このようなパースは、個々に（または例えば、アカウントをロードするまたはリロードする関係者による資金の指定によって）資金供給されてもよく、あるいは、均等に、または、一般使用アルゴリズムにしたがって、資金供給されてもよく、アルゴリズムは平均価格、平均使用等を考慮してもよい。代替的に、パースは個々のサブアカウントに値を保持せずに、特定の取引に使用されたときに、どのように値が取り扱われたかを単に反映してもよい。言い換えると、公共交通機関パース４６０は、具体的に値を保持しないが、ある値特性が適用されるべき公共交通機関の状況において、全体アカウント４０に関係付けられている値が使用されたか否かを示してもよい。
【００３７】
［００４７］
図５を参照すると、本発明のいくつかの実施形態にしたがった、トランジット使用カードによる取引を行う例示的な方法５０をこれから説明する。５１０において、取引をポイントオブセール（ＰＯＳ）において開始してもよい。ＰＯＳは、商品および／またはサービスの、小売業者、マーチャント、あるいは、プロバイダにおける、伝統的なレジスタを含んでいてもよいことに着目すべきである。タクシーのメーターと、バスの運賃箱と、キオスクと、（例えば、地下鉄システムの入り口における）回転式改札口と、駐車メーターまたは他のメーターと、料金所と、（イージパス、イージータグ、ファストトラック等によって利用される近距離通信のような）ワイヤレス通信を利用する料金収集デバイスと、ならびに／あるいは、商品および／またはサービスに対する支払取引で値が提供される他の何らかのシステムとをＰＯＳはさらに含んでいてもよい。
【００３８】
［００４８］
５２０において、商品および／またはサービスに対する支払手段として、ＰＯＳで使用カードを提示していてもよい。さらに、使用カードの提示は、取引を行うＰＯＳのタイプに依存していてもよい。伝統的なレジスタにおける取引は、使用カード上の磁気ストライプをスワイプすることによって、あるいは、バーコードまたはカード上の他の機械読取可能しるしを読み取ることによって、実行されてもよい。運賃箱における取引は、近距離通信によって実行されてもよく、顧客は近距離リーダ上に使用カードをタップするだけでよい。駐車メーターにおける取引は、使用カードをスワイプすることを伴っていてもよく、または、ユーザによって使用カード上のしるしをメーターに提供することを伴っていてもよい。料金システムによって読み取ることができるデバイスに使用カードを関係付ける、例えば、料金システムにおいて使用されるトランスポンダエレメントに使用カードを関係付けるまたは挿入することにより、高速道路料金において使用カードを提示してもよい。上記のパラグラフは、限定することを意図しているのではなく、むしろ、本発明によって企図されることの広さを説明していることに着目すべきである。
【００３９】
［００４９］
５３０において、ＰＯＳは、使用カード上の使用しるしを取り込んでもよい。上記で着目したように、このしるしは、さまざまな方法で取り込まれてもよい。
【００４０】
［００５０］
５４０において、ＰＯＳ、または、（ＰＯＳホストまたは他の中央エレメントのような）ＰＯＳに関係付けられているプロセッサは、使用カードに関係付けられているプロセッサまたはイシュアー（「中央プロセッサ」）を決定してもよい。このような決定は、例えば上記で着目したようなＩＩＮまたはＢＩＮに基づいていてもよい。
【００４１】
［００５１］
５５０において、ＰＯＳまたはＰＯＳに関係付けられているプロセッサは、取引に関する情報を中央プロセッサにルーティングしてもよい。情報は、使用カードからのしるしと、所望の取引の額とを含んでいてもよい。通信において、取引の場所、時間および日付等のような追加の情報も含んでいてもよく、追加の情報は記録保管目的、詐欺行為の決定等のために使用してもよい。
【００４２】
［００５２］
５６０において、中央プロセッサはＰＯＳまたはＰＯＳに関係付けられているプロセッサから情報を受け取ってもよく、５６１において、中央プロセッサは、使用しるしが有効であるか否かを決定してもよい。使用しるしが有効でない場合、その後５６３において、中央プロセッサは取引を拒否してもよい。使用しるしが有効である場合、中央プロセッサはその後、使用しるしに関係付けられているアカウントと、もしあればその中の値とを識別してもよい。その後、５６２において、アカウント中の値が、要求された取引の額より多いまたは等しいか否かを中央プロセッサは決定してもよい。アカウント中の額が、要求された取引の額より多いまたは等しくない場合、５６３において取引を拒否してもよい。アカウント中の額が、要求された取引の額より多いまたは等しい場合、５６４において取引を認可し、５６５において取引の額をアカウントから減らしてもよい。中央プロセッサはその後、取引を継続するようにＰＯＳに命令するためにＰＯＳと通信してもよく、５７０において、ＰＯＳは取引を行ってもよい。
【００４３】
［００５３］
リアルタイムまたはほぼリアルタイムな取引を実行するために、ある発見的方法またはショートカットを中央プロセッサによって利用してもよい。例えば、以下でより詳細に説明するように、値を有さないアカウント、何らかの商品および／またはサービスを取得するのに不十分な値を有するアカウントのいずれかに、あるいは、何等かのタイプの詐欺行為に関係付けられているアカウントに、関係付けられている使用しるしを含んでいるネガティブデータベースを中央プロセッサは維持してもよい。このような使用しるしに関係付けられている取引をタイムリーに拒否するために、中央プロセッサによってこのようなネガティブデータベースに最初に問い合わせてもよい。代替的に、ネガティブデータベース中にリストアップされているしるしが識別された場合に、ＰＯＳ自身が取引をただちに拒否できるように、ネガティブデータベースによって周期的にＰＯＳシステム自身を更新してもよい。
【００４４】
［００５４］
図６を参照して、本発明のいくつかの実施形態にしたがった、トランジットリロードカードによりリロード取引を行う例示的な方法６０についてこれから説明する。６１０において、ＰＯＳでリロード取引を開始してもよい。上記で着目したように、電子キオスクまたはコンピュータ化されたキオスクを含むさまざまなＰＯＳシステムを、ＰＯＳは含んでいてもよい。トランジット使用カードによって購入される商品および／またはサービスに関連しないＰＯＳにおいて、リロード取引は実行されてもよいことも企図されている。言い換えると、道路通行料金または駐車スペースにおいて使用カードが使用されるかもしれない一方で、コンビニエンスストアや、ビッグボックスストアや、ウェブサイトまたは他のデジタル店頭や、移動体コンピューティングデバイスまたは移動体通信デバイス（例えば、移動体電話機、スマートフォン、テーブルコンピュータ、ラップトップコンピュータ、ナビゲーションシステム等）上で実行するアプリケーションまたはアプレットにおいて、リロードカードを使用して、基礎となるアカウントを補充してもよい。
【００４５】
［００５５］
６１１において、ＰＯＳはリロードカード上のリロードしるしを取り込む、または、そうでなければ取得してもよい。例えば、磁気ストライプ、バーコード、ＲＦＩＤタグ等のような、リロードカード上の機械読取可能しるしを読み取ることによって、このしるしをＰＯＳは取り込んでもよい。代替的に、例えば、オンラインリロード取引のケースでは、あるいは、移動体コンピューティングデバイスまたは移動体通信デバイスの使用を通して、ユーザが手動でリロードしるしを入力することによって、ＰＯＳはリロードしるしを取得してもよい。
【００４６】
［００５６］
電話で、例えば、対話型音声応答（ＩＶＲ）システムと通信することによって、リロード取引を行うことも企図されている。
【００４７】
［００５７］
６１２において、ＰＯＳまたは（ＰＯＳホストまたは他の中央エレメントのような）ＰＯＳに関係付けられているプロセッサは、リロードカードに関係に関係付けられているプロセッサまたはイシュアー（「中央プロセッサ」）を決定してもよい。このような決定は、上記で着目したような、例えばＩＩＮまたはＢＩＮに基づいていてもよい。ここでの説明では、リロード取引を支配する中央プロセッサは、使用取引を支配する同じ中央プロセッサであると仮定していることに着目すべきである。しかしながら、２つ以上のプロセッサを使用してもよく、または、単一のプロセッサを区分して２つの別々のプロセッサとして機能するようにしてもよいことが企図されている。明確にするために、説明は単一の中央プロセッサに焦点を合わせるが、１つ以上のプロセッサ間で、取引タイプ（使用または兌換と比較したリロード）に基づいた労力の分割を本発明は十分に企図している。
【００４８】
［００５８］
６１３において、リロードカードに関係付けられている（したがって、使用カードに関係付けられている）基礎となるアカウントをリロードするための額をＰＯＳは顧客から受け取ってもよい。いくつかの実施形態にしたがうと、顧客は値の任意の額を選択してもよい。いくつかの実施形態にしたがうと、顧客にリロードオプションを提示してもよく、オプションは、通貨の額（例えば、１０ドル、２５ドル、５０ドル）に基づいてもよく、または、特定の使用（例えば、２０地下鉄トリップ、道路通行料金の１か月分等）に基づいてもよい。「食べ放題」モデルに対する単一の支払いのオプションを、トランジットシステムは提供してもよく、例えば、地下鉄と、バスと、ライトレールと、道路通行料金と、ある限られた駐車とを含む、すべてのトランジット使用の１か月分に対する額（例えば２５０ドル）を顧客は支払ってもよいことが、本発明によってさらに企図されている。
【００４９】
［００５９］
６１４において、ＰＯＳまたはＰＯＳに関係付けられているプロセッサは、中央プロセッサと通信し、リロードしるしと、基礎となるアカウントに挿入されることになる値の額とを提供してもよい。
【００５０】
［００６０］
６２０において、中央プロセッサはこの情報を受け取ってもよく、６３０において、中央プロセッサは、リロードしるしが有効であるか否かを決定してもよい。リロードしるしが無効である場合、取引を拒否してもよい。リロードしるしが有効である場合、さまざまな方法でリロード取引を実行してもよい。例えば、使用カードと、リロードカードと、基礎となるアカウントとの関係構造が、図２で示したようなものである場合、６４１において、リロードしるしに関係付けられている使用しるしを中央プロセッサが決定し、その後、６４２において、使用しるしに関係付けられているアカウントを決定してもよい。６４３においてその後、中央プロセッサは、使用しるしに関係付けられているアカウント中で利用可能な額を、リロード額だけ増加してもよい。使用カードと、リロードカードと、基礎となるアカウントとの関係構造が、図３で示したようなものである場合、６５０において、リロードしるしに関係付けられているアカウントを中央プロセッサは決定し、６５１において、リロード値の額をこのアカウントに追加してもよい。
【００５１】
［００６１］
これらの２つの方法は限定することを意図しているのではなく、むしろ、さまざまなカードとアカウントとしるし等との間のさまざまな関係に基づいている、本発明によって企図されるバリエーションを示すことを意図している。
【００５２】
［００６２］
６６０において、中央プロセッサは、リロード取引が成功したという確認をＰＯＳに送ってもよい。６１５において、ＰＯＳは、リロード取引が成功したという確認をユーザに伝えてもよい。このような確認は、例えば、領収書や、確認Ｅメールや、オーディオ確認や、テキスト（ＳＭＳまたはＭＭＳ）メッセージや、あるいは、コンピュータまたはキオスク上に提示される確認スクリーンであってもよい。
【００５３】
［００６３］
その後、６１６、６７０において、ＰＯＳまたはＰＯＳに関係付けられているプロセッサと中央プロセッサとの間で清算が生じてもよい。このような清算は、例えば、自動決済機関（ＡＣＨ）取引を含むさまざまな方法で生じてもよい。
【００５４】
［００６４］
リロード取引を提供することは、システムの発見的方法にも影響を与えるかもしれない。例えば、上記で言及したように、十分でない資金のために、使用カードまたはしるしはネガティブデータベース上に置かれるかもしれない。したがって、リロード取引の際に、６８０において、中央プロセッサは使用しるしのアクティブ化をもたらし、それによって、ネガティブデータベースから使用しるしを取り除いてもよい。アカウントが滞納している場合、６９０において、使用しるしが使用のために利用可能にされる前に、基礎となるアカウントから滞納額を差し引いてもよい。
【００５５】
［００６５］
図７を参照すると、本発明のいくつかの実施形態にしたがった、トランジットカードの販売を行う例示的な方法７０についてこれから説明する。個々のステップを説明する前に、多数のステップが図７において示され、以下で説明されているが、それぞれのステップは必ずしも要求されないことに着目することが重要である。むしろ、図７において述べるような方法７０は、特定のアレンジメントおよび販売プロセスを表しており、本発明から逸脱することなく、さまざまなステップをプロセスから削除および／またはさまざまなステップをプロセスに追加してもよい。
【００５６】
［００６６］
７０１において、消費者は、購入のためにトランジット使用カードを選択してもよい。トランジット使用カードは、リロードカードと事前に関係付けられていてもよく、または、事前設定の値で個々に販売されてもよい。事前設定の値のケースでは、リロードは後の時間に購入されてもよく、その後、使用カードと、使用カードに関係付けられている基礎となるアカウントとに関係付けられる。７０２において、購入のために顧客はＰＯＳでカードを提示してもよく、７０３において、使用カードの販売を確立するために、ＰＯＳは使用カードのしるしを取り込むまたはそうでなければ受け取ってもよい。
【００５７】
［００６７］
使用カードが事前設定の値で事前ロードされていない場合、７０４において、顧客はロード額を提供するように促されるかもしれない。顧客はデジタル通信（例えば、キオスクのスクリーン上で、電話で、テキスト（ＳＭＳ、ＭＭＳ）メッセージを通して、等）を通して促されるかもしれず、または、販売従業員が顧客にいくらの値をロードするか尋ねることによって促されるかもしれない。
【００５８】
［００６８］
７０５において、顧客はＰＯＳに総額を対価として支払ってもよい。カードを購入する最初の料金、ならびに／あるいは、適用可能および／または要求されるかもしれない、何らかの追加の、税や料金や請求金額を、総額は含んでいてもよい。
【００５９】
［００６９］
７０６において、ＰＯＳまたはＰＯＳに関係付けられているプロセッサは、使用カードに関する取引を処理する中央プロセッサに最終的にはルーティングされることになるアクティブ化要求を送ってもよい。最初に７０６において、この通信はＰＯＳホストにルーティングされてもよく、７０７において、ＰＯＳホストから中央プロセッサにルーティングされてもよい。７０８において、中央プロセッサはアクティブ化要求を処理してもよく、成功した場合、７０９においてＰＯＳホストに応答を送り返す。７１０において、ＰＯＳホストは、アクティブ化が成功したことを示す応答を、取引を行っている特定のＰＯＳに送ってもよい。その後、取引を完了してもよく、７１１において、ＰＯＳは取引を詳述する領収書を発生させてもよい。このような領収書は、紙の形態や、デジタル的に提供されてもよく、または、顧客に再生されるオーディオ情報を含んでいてもよい。
【００６０】
［００７０］
オプション的に、７１２において、インターネットを通してまたはＩＶＲシステム７１３を通して、使用カードを登録するように顧客は指示されていてもよい。顧客がＩＶＲを選択した場合、７１４においてＩＶＲ登録システムにリンクされ、顧客がウェブまたはインターネットを選択した場合、７１５においてウェブ登録システムにリンクされてもよい。
【００６１】
［００７１］
登録はいくつかの理由により促進されてもよい。使用カードが登録され、置き忘れられた場合、中央プロセッサが使用カードをディセーブルさせ、使用カードの代りに代替カードを提供するように、顧客は要求するかもしれない。使用カードが登録された場合、リロードカードはより簡単に使用カードに関係付けられる。さらに、使用カードが登録された場合、使用カードの基礎となるアカウント中の残高があるレベルよりも減ったときに、特定の額の再充填が自動的に実行されるように、クレジットカードやデビットカード（あるいは他の開ループまたは 準開ループタイプのカード）や当座預金アカウント等のような支払デバイスを、使用カードに関係付けるオプションを顧客は有していてもよい。
【００６２】
［００７２］
使用カードは、トランジットシステムの内で動作するための閉ループ機能性と、トランジットシステムの外で動作するための開ループ機能性とを有する組み合わされた目的カードであってもよいことも本発明によって企図されている。例えば、トランジットシステム内で利用できる閉ループパースをプリペイドビザカードは備えていてもよい。このような状況では、閉ループパースがあるレベルを下回ったとき、プロダクトの開ループサイドから自動的に閉ループパースに再充填してもよい。
【００６３】
［００７３］
図８を参照して、本発明のいくつかの実施形態にしたがった、例示的なリロード取引の方法８０についてこれから説明する。８００において、リロード取引のために、顧客はＰＯＳでカードを提示してもよい。顧客がリロードカードを提示するかもしれないことが予期されるが、直接リロードするために顧客が使用カードを提示するかもしれないことも企図されている。８０５において、ＰＯＳは、カードからのしるしを顧客から受け取ってもよく、８１０において、顧客によって求められたリロードの額をＰＯＳは受け取ってもよい。８１５において、リロード額（加えて何らかの適用可能な税、料金、請求金額等）の実際の対価をＰＯＳは受け取ってもよい。８２０において、ＰＯＳ（あるいはＰＯＳホストまたはＰＯＳに関係付けられている他のプロセッサ）は、中央プロセッサにリロード要求を送ってもよい。８２５において、中央プロセッサはリロード要求を受け取ってもよく、８３０において、カードを識別するしるしが有効であるか、カードがアクティブであるか否かを中央プロセッサは決定してもよい。８３５において、カードがアクティブでないと決定される場合、その後、８４０において、上記で十分に説明したように、最初のアクティブ化プロセスのようにプロセスをルーティングしてもよい。しるしが有効であり、８４５で決定したようにカードがアクティブである場合、８５０において、中央プロセッサは基礎となるアカウントを識別してもよい。
【００６４】
［００７４］
８５５において、基礎となるアカウントが滞納しているか否か、または関係付けられているカードまたはアカウントがネガティブデータベース中にリストアップされているか否かを中央プロセッサは決定してもよい。８６５において、カードおよび／またはアカウントがネガティブデータベース中でフラグが立てられている場合、滞納ステータスからアカウントを移すためにリロード額が十分であるならば、８７０において、ネガティブデータベース中のリストが取り除かれる。８６０において、カードおよび／またはアカウントがネガティブデータベース中にリストアップされていないと決定された場合、または、８７０においてネガティブフラグが取り除かれた後、中央プロセッサは基礎となるカードアカウントに値を追加してもよい。値は、顧客によって特定された特定のリロード値であってもよく、あるいは、顧客によって特定されたものよりも、何らかの適用可能なまたは要求されている料金、税、請求金額等だけ少ないリロード値であってもよい。
【００６５】
［００７５］
８８０において、中央プロセッサはリロード取引の成功を示すメッセージをＰＯＳ、ＰＯＳホスト、またはＰＯＳに関係付けられているプロセッサに送ってもよく、８８５において、ＰＯＳはその後、リロード取引の確認を顧客に伝えてもよい。
【００６６】
［００７６］
図９を参照して、本発明のいくつかの実施形態にしたがった、例示的な使用取引９０をこれから説明する。説明した以前の方法と同じように、本発明から逸脱することなく、さまざまなステップを以下で説明する方法から省略してもよく、または、さまざまなステップを以下に説明する方法に追加してもよいことに着目すべきである。
【００６７】
［００７７］
図９を参照すると、顧客が彼または彼女の移動を終えるまで、顧客の使用カードに請求されることになる最終的な額は知られないかもしれないという状況に、方法は向けられている。例えば、地下鉄乗車のための値段は、乗車のルートと、距離と、および／または期間とに基づいて変化するかもしれない。同様に、有料道路上を移動した全体的な距離にまたは有料道上で通り抜けた自治体に、道路通行料金は関連することが多い。さらに同様に、顧客はトランジットシステム内（バスから地下鉄、地下鉄からライトレール、ライトレールから駐車）で移動するかもしれず、道のりに沿った各行程に対して請求するよりむしろ、移動の終わりにおいて請求されてもよい。したがって、図９中で述べるような方法は、ＰＯＳが顧客にアクセスを許可し、そして、使用カードに対して、顧客の移動の全額を後で請求する状況を示しているかもしれない。
【００６８】
［００７８］
９０１において、顧客はＰＯＳで使用カードを提示してもよい。さらに、上記で着目したように、ＰＯＳは多くの形態をとることができる。９０２において、トランジットシステムまたは特定のトランジットデバイス（例えば、タクシーや、地下鉄や、バスや、有料道路等）への入口で、ＰＯＳは使用カードからしるしを取り込む、または、そうでなければ受け取ってもよい。９０３において、有効でないカードにカードが関係付けられているか否か、あるいは、滞納している、残高がゼロである、またはトランジットシステムにおける何らかの商品および／もしくはサービスに対して支払うための残高が不十分である、基礎となるアカウントにカードが関係付けられているか否かを決定するために、ネガティブデータベースに対して、ＰＯＳはしるしの有効性を確認してもよい。例えば、カードが０．７８ドルの残高を有しているが、最低の、バスの乗車、地下鉄トリップ、有料道路、またはタクシー運賃は１．１０ドルかもしれない。
【００６９】
［００７９］
９０４において、カードがネガティブデータベース上にリストアップされている場合、９０５において、取引を拒否し、顧客がトランジットデバイスに入ることを阻止する。阻止は、ロックされた回転式改札口、料金所で上がらないゲート、または乗車を阻止するバスの運転手を含んでいる。
【００７０】
［００８０］
中央プロセッサとのタイムリーな通信を要求することなく、サービスに対して十分な支払を提供しそうにない乗客を効果的にＰＯＳがふるい分けることができるようにするという点で、カードのこのようなローカル事前認可は望ましい。例えば、ＰＯＳによって問い合わされるデータベースに達して、ネガティブまたはポジティブデータベース中の、カードのリストおよび／またはアカウントを修正することによって、中央プロセッサはＰＯＳシステムを周期的に更新してもよい。
【００７１】
［００８１］
９０６において、カードがネガティブデータベース上にリストアップされていない（あるいは代替的におよび同等にポジティブデータベース上にリストアップされている）とＰＯＳが決定する場合、９０７において、顧客はトランジットシステムに許される。９０８において、顧客は、彼または彼女の目的地までトランジットシステム中を移動してもよく、９０９において、顧客はトランジットシステムを出て、ＰＯＳにおいて使用カードを再度提示してもよい。９１０において、顧客が移動したトリップに対する総請求金額をＰＯＳは決定してもよく、９１１において、ＰＯＳ（あるいはＰＯＳホストまたはＰＯＳに関係付けられているプロセッサ）は、総請求金額と、使用カードから取り込んだ、または、そうでなければ取得したしるしとを中央プロセッサに送ってもよい。
【００７２】
［００８２］
９１２において、カード番号が有効であるか否かを中央プロセッサは決定してもよい。９１３において、カード番号またはしるしが有効でないと決定された場合、その後９１４において、カード、しるし、または基礎となるアカウントをネガティブデータベースに追加してもよい。９１５において、カード番号が有効であると決定された場合、その後９１６において、中央プロセッサは基礎となるアカウントを識別してもよく、９１７において、基礎となるアカウントにおける値の額を決定してもよい。
【００７３】
［００８３］
９１８において、基礎となるアカウント中の値の額が総請求金額と等しいまたはより多いか否かを中央プロセッサは決定してもよい。９１９において、アカウント中の額が総請求金額よりも少ないと決定された場合、その後９２０において、自動リロードのソースが使用カードまたは基礎となるアカウントに関係付けられているか否かを中央プロセッサは決定してもよい。９２１において、自動リロードのソースがない場合、その後９２２において、中央プロセッサは、基礎となるアカウントからすべての利用可能な資金を差し引いてもよく、基礎となるアカウントの額が滞納していることに気付く。その後、プロセスはステップ９１４に進んでもよく、ここで、カード、しるし、または基礎となるアカウントがネガティブデータベースに追加されるかもしれない。
【００７４】
［００８４］
９２３において、使用カードまたは基礎となるアカウントに関係付けられている識別された自動リロードがあると決定された場合、その後、９２４において、識別された値ソースによるリロード取引を中央プロセッサは要求してもよい。９２５において、リロード取引が不成功と決定された場合、その後、プロセスはステップ９２２に戻り、ここで、アカウントからすべての利用可能な資金を差し引くカード、しるし、または基礎となるアカウントはネガティブデータベース中にリストアップされるかもしれない。
【００７５】
［００８５］
９２６においてリロード取引が成功したと決定された場合、その後プロセスは継続してもよい。
【００７６】
［００８６］
９２６においてリロード取引が成功したか、あるいは、ステップ９１８において決定されるように基礎となるアカウントの額が総請求金額より多いまたは等しかったかにかかわらず、その後９２７において、中央プロセッサは総請求金額だけ、アカウント中の値の額を差し引くまたは減らしてもよい。９２８において、（上記で着目したように）トランジットシステムにおける何らかの商品および／またはサービスに対して支払うには、基礎となるアカウントに残っている残高が少なすぎるか否かを中央プロセッサはその後決定してもよく、９２９において、使用するためにはアカウントが少なすぎると見なされた場合、９１４において、カード、しるし、または基礎となるアカウントは、ネガティブデータベース中にリストアップしてもよい。
【００７７】
［００８７］
９３０において、アカウント中に残っている額が許容可能である（すなわち、トランジットシステムから少なくともいくつかの商品および／またはサービスの購入を可能にするであろう確立された最低しきい値を超える）と決定された場合、その後９３１において、取引が終わる。
【００７８】
［００８８］
図１０を参照して、本発明のいくつかの実施形態にしたがった、トランジットカードの例示的な販売プロセス１０００についてこれから説明する。図１０において開示する方法は、例示にすぎず、さまざまなステップをプロセスに追加してもよく、または、さまざまなステップをプロセスから省略してもよいことに着目すべきである。実際の取引が含むかもしれないものを開示することを意図していることから、図１０において述べる方法はある程度具体的であるが、ここで述べ、特許請求の範囲に記載されている本発明は、図１０において述べる、エレメントまたはステップのそれぞれを要求しないかもしれない。
【００７９】
［００８９］
１００１において、顧客はＰＯＳの場所、例えば電子または自動キオスク、を訪問してもよい。１００２において、キオスクにおける顧客インターフェースを利用することにより、顧客は選択してトランジットカードを購入してもよい。１００３において、顧客はトランジットカードに資金供給する額を入力してもよく、１００４において、顧客は支払方法を選ぶまたは選択してもよい。現金、クレジット、デビット、および／またはキオスクで受け入れられる他の何らかの値タイプを使用して、顧客はトランジットカードに対して支払いをしてもよい。トランジットカードに資金供給されることになる額を、顧客は支払ってもよく、あるいは、要求されるまたは適切な、税、費用、請求金額、および／または料金が購入取引に適用された後に、顧客はより多く支払ってもよい。キオスクの顧客は、例えば、１００５において、クレジットまたはデビットカードを使用する支払方法を選択して、クレジットまたはデビットカードをスワイプまたはタップしてもよい。１００６において、キオスクは次の利用可能なカード番号（カード番号は、アルゴリズムにしたがいシーケンシャルであってもよく、ランダム、または準ランダムであってもよい）を識別してもよく、１００７において、キオスクは事前認可要求を中央プロセッサのゲートウェイに送ってもよい。１００８において、中央プロセッサのゲートウェイは、事前認可要求を中央プロセッサの適切なプラットフォームに送ってもよく、１００９において、プラットフォームは事前認可アクティブ化有効性確認を実行してもよい。１０１０において、中央プロセッサプラットフォームは中央プロセッサゲートウェイに応答してもよく、次に、１０１１において、ゲートウェイは通信をキオスクに返送してもよい。
【００８０】
［００９０］
１０１２において、事前認可取引が成功しなかった場合、その後１０１３において、キオスクは親切な失敗メッセージを顧客に提示して、顧客に再試行を要求してもよい。
【００８１】
［００９１］
事前認可取引が成功した場合、その後１０１４において、顧客によって提示された支払カードに関係付けられているマーチャントアクワイアラーに対して、キオスクは支払要求を送ってもよい。１０１５において、マーチャントアクワイアラーは支払を処理して、応答をキオスクに送ってもよい。１０１６において、支払要求が成功したか否かをキオスクは決定してもよく、支払要求が成功しなかった場合、ステップ１０１３のように、顧客には親切な失敗メッセージが提示されるかもしれない。支払要求が成功した場合、その後１０１７において、キオスクはロード額とともにアクティブ化要求を中央プロセッサゲートウェイに送ってもよく、その後、１０１８において、アクティブ化要求は適切な中央プロセッサプラットフォームにルーティングされてもよい。１０１９において、中央プロセッサプラットフォームはカードをアクティブ化し、要求された額により、関係付けられているアカウントに資金供給してもよく、１０２０において、中央プロセッサプラットフォームはその確認を中央プロセッサゲートウェイに提供してもよい。
【００８２】
［００９２］
１０２１において、中央プロセッサゲートウェイは現在のステータスとともにキオスクに応答してもよい。１０２２においてアクティブ化が成功した場合、その後１０２３において、キオスクは顧客にトランジットカードと領収書を配付してもよい。１０２４において、中央プロセッサとキオスクとの間でその後清算が生じてもよく、１０２５において、記録を同期させてもよい。
【００８３】
［００９３］
１０２２において、アクティブ化が成功しなかった場合、その後１０２６において、親切な失敗メッセージを顧客に提示してもよく、１０２７において、その後、マーチャントアクワイアラーにクレジット要求を送ることによって、キオスクは顧客の支払いカードを払い戻してもよく、１０２８においてマーチャントアクワイアラーによってクレジット要求を受け取ってもよく、１０２８において、マーチャントアクワイアラーはキオスクに返答してもよい。１０２９において、支払クレジットが不成功になると決定される場合、その後１０３０において、後の時間における手動調整のために支払をログ記録してもよい。１０２９において、支払クレジット取引が成功する場合、プロセスは１０２０に継続してもよく、ここで、今度はキオスクとマーチャントアクワイアラーとの間で、その後清算が生じるかもしれず、１０２５において記録を同期させてもよい。
【００８４】
［００９４］
図１０において述べるような例示的な方法および上記の説明は、顧客と、キオスク（または小売業者）と、トランジットカードをイシューしてサポートする中央プロセッサと、支払ソースといった、いくつかの関係者の間で取引される。キオスクは中央プロセッサによって維持され、実行され、または中央プロセッサと関係付けられてもよく、それによって上記で説明した通信のいくつかを不要にすることが、本発明によって企図されている。現金購入のケースでは、上記で説明し、図１０において示した、マーチャントアクワイアラーを含む通信は、不要になるかもしれないことも企図されている。
【００８５】
［００９５］
言い換えると、取引のタイプや、関係者の身元および数や、関係者間の関係性、および／または、他のさまざまなファクターに依存して、さまざまな修正、改変、および変更がなされてもよい。
【００８６】
［００９６］
ここで示し、記述した本発明の特定の実施形態が、例示にすぎないことが理解されるだろう。本発明の精神および範囲から逸脱することなく、多数のバリエーション、変更、置換、均等がこれから当業者に生じるだろう。したがって、ここで記述し、添付の図面において示したすべての主題事項は、実例として考えられているにすぎず、意味を限定するのではなく、本発明の範囲は、ひとえに添付した特許請求の範囲によって決定されるだろうことが意図されている。
【図１Ａ】
2020074138.tif 000003
【図１Ｂ】
2020074138.tif 000004
【図２】
2020074138.tif 000005
【図３】
2020074138.tif 000006
【図４】
2020074138.tif 000007
【図５】
2020074138.tif 000008
【図６】
2020074138.tif 000009
【図７】
2020074138.tif 000010
【図８】
2020074138.tif 000011
【図９】
2020074138.tif 000012
【図１０】
2020074138.tif 000013
【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
トランジットカード取引を行う方法において、
前記方法は、トランジットカードに関係付けられているアカウントと前記アカウントのステータスを含むデータストアとを含む中央プロセッサと、トランジットプロセッサとの間で行われ、
前記方法は、
前記中央プロセッサにおいて、前記トランジットプロセッサから、前記トランジットカードを識別する情報を含む兌換要求を受け取ることと、
前記兌換要求が、特定のトランジットタイプに対する事前認可要求であるか、または、料金兌換要求であるかを、前記中央プロセッサによって決定することと、
前記兌換要求が事前認可要求であると決定すると、
前記アカウントのステータスを含むファクターに基づいて、前記特定のトランジットタイプに対する取引に対して前記アカウントを認可するか否かを、前記中央プロセッサによって決定することと、
前記アカウントが前記特定のトランジットタイプに対する取引に対して認可された場合、
事前認可の承認を前記トランジットプロセッサに通信することと、
前記アカウントが前記特定のトランジットタイプに対する取引に対して認可されない場合、
事前認可の拒否を前記トランジットプロセッサに通信することと、
前記兌換要求が料金兌換要求であると決定すると、
前記アカウントに関係付けられている値が、前記料金兌換要求によって要求された額より多いまたは等しいか否かを、前記中央プロセッサによって決定することと、
前記アカウントに関係付けられている値が、前記料金兌換要求によって要求された額より少ない場合、前記料金兌換要求の拒否を前記トランジットプロセッサに通信することと、
前記アカウントに関係付けられている値が、前記料金兌換要求によって要求された額より多いまたは等しい場合、
前記料金兌換要求の承認を前記トランジットプロセッサに通信することと、
設定料金兌換要求の額を前記アカウントから差し引くことと、
前記アカウントに関係付けられている値の額が、１つ以上の特定のトランジットタイプに対する予め定められたしきい値より少ないか否かを決定することと、少ない場合、前記データストアにおける前記アカウントのステータスを更新することとを含む方法。
【手続補正２】
【補正対象書類名】明細書
【補正対象項目名】００８６
【補正方法】変更
【補正の内容】
【００８６】
［００９６］
ここで示し、記述した本発明の特定の実施形態が、例示にすぎないことが理解されるだろう。本発明の精神および範囲から逸脱することなく、多数のバリエーション、変更、置換、均等がこれから当業者に生じるだろう。したがって、ここで記述し、添付の図面において示したすべての主題事項は、実例として考えられているにすぎず、意味を限定するのではなく、本発明の範囲は、ひとえに添付した特許請求の範囲によって決定されるだろうことが意図されている。
以下に、本願の出願当初の特許請求の範囲に記載された発明を付記する。
［Ｃ１］
トランジットカード取引を行う方法において、
前記方法は、トランジットカードに関係付けられているアカウントと前記アカウントのステータスを含むデータストアとを含む中央プロセッサと、トランジットプロセッサとの間で行われ、
前記方法は、
前記中央プロセッサにおいて、前記トランジットプロセッサから、前記トランジットカードを識別する情報を含む兌換要求を受け取ることと、
前記兌換要求が、特定のトランジットタイプに対する事前認可要求であるか、または、料金兌換要求であるかを、前記中央プロセッサによって決定することと、
前記兌換要求が事前認可要求であると決定すると、
前記アカウントのステータスを含むファクターに基づいて、前記特定のトランジットタイプに対する取引に対して前記アカウントを認可するか否かを、前記中央プロセッサによって決定することと、
前記アカウントが前記特定のトランジットタイプに対する取引に対して認可された場合、
事前認可の承認を前記トランジットプロセッサに通信することと、
前記アカウントが前記特定のトランジットタイプに対する取引に対して認可されない場合、
事前認可の拒否を前記トランジットプロセッサに通信することと、
前記兌換要求が料金兌換要求であると決定すると、
前記アカウントに関係付けられている値が、前記料金兌換要求によって要求された額より多いまたは等しいか否かを、前記中央プロセッサによって決定することと、
前記アカウントに関係付けられている値が、前記料金兌換要求によって要求された額より少ない場合、前記料金兌換要求の拒否を前記トランジットプロセッサに通信することと、
前記アカウントに関係付けられている値が、前記料金兌換要求によって要求された額より多いまたは等しい場合、
前記料金兌換要求の承認を前記トランジットプロセッサに通信することと、
設定料金兌換要求の額を前記アカウントから差し引くことと、
前記アカウントに関係付けられている値の額が、１つ以上の特定のトランジットタイプに対する予め定められたしきい値より少ないか否かを決定することと、少ない場合、前記データストアにおける前記アカウントのステータスを更新することとを含む方法。
［Ｃ２］
前記トランジットカードを識別する情報は、前記トランジットカード上にプリントされたまたはストアされた機械読取可能しるしを含むＣ１記載の方法。
［Ｃ３］
前記中央プロセッサにおいて、小売ポイントオブセール（ＰＯＳ）から、前記トランジットカードを識別する情報を含むアクティブ化要求を受け取ることと、
前記中央プロセッサによって、前記トランジットカードを識別する情報が有効であるか否かと、前記トランジットカードに関係付けられているアカウントとを決定することと、  前記中央プロセッサによって、前記トランジットカードをアクティブ化することとをさらに含むＣ１記載の方法。
［Ｃ４］
前記トランジットカードは、アクティブ化より前にパッケージ中に配置され、前記アクティブ化要求は、前記パッケージから、前記ＰＯＳによって読み取られる、または、取得される情報をさらに含むＣ３記載の方法。
［Ｃ５］
特定のトランジットタイプは、タクシーと、バスと、地下鉄と、道路または橋の料金と、駐車メーターと、列車またはライトレールと、トロリーと、車レンタルとからなるグループから選択されるＣ１記載の方法。
［Ｃ６］
前記トランジットプロセッサは、トランジットシステムの間の中央に位置しているＣ１記載の方法。
［Ｃ７］
前記トランジットプロセッサは、特定のトランジットタイプに関係付けられているＣ１記載の方法。
［Ｃ８］
前記トランジットプロセッサは、特定のポイントオブセールプロセッサに関係付けられているＣ１記載の方法。
［Ｃ９］
料金兌換要求において使用した前記特定のトランジットタイプから出ることが必要であり、前記アカウントに関係付けられている値が、前記料金兌換要求によって要求された額よりも少ないと前記中央プロセッサによって決定されると、
前記アカウントにおける値の総額に対する取引を認可することと、
前記アカウントから前記料金兌換要求の額を差し引き、それによって、前記アカウント中に負の残高を生じさせることとをさらに含むＣ１記載の方法。
［Ｃ１０］
前記方法が、リアルタイムまたはほぼリアルタイムで実行されるＣ１記載の方法。
［Ｃ１１］
前記料金兌換要求は、駐車、運転または料金の違反に対する召喚に関係付けられているＣ１記載の方法。
［Ｃ１２］
前記アカウントを使用して前記召喚の支払いをすると、前記アカウントを終了し、それによって、前記トランジットカードの将来の使用を無効にするＣ１１記載の方法。
［Ｃ１３］
トランジットカードを使用するまたはトランジットカードに関係付けられている、取引を行うシステムにおいて、
小売ポイントオブセール（ＰＯＳ）と、
トランジットプロセッサと、
前記小売ＰＯＳおよび前記トランジットプロセッサと選択的に通信する中央プロセッサとを具備し、
前記中央プロセッサは、
前記トランジットカードに関係付けられている１つ以上の記録を含み、前記トランジットカードに関係付けられている値の額を示す第１のデータストアと、
取引に対して認可されていない、前記トランジットカードを含み得る、１枚以上のトランジットカードに関係付けられている１つ以上の記録を含む第２のデータストアと、
プロセッサとを備え、前記プロセッサは、
前記トランジットカードをアクティブ化するために、前記小売ＰＯＳからアクティブ化要求を受け取るようにと、ここで、前記アクティブ化要求は前記トランジットカードを特定する情報を備え、
前記トランジットプロセッサから兌換要求を受け取るようにと、
前記兌換要求が特定のトランジットタイプに対する事前認可要求であるか否かを決定するようにと、前記兌換要求が特定のトランジットタイプに対する事前認可要求である場合に、前記アカウントのステータスを含むファクターに基づいて、前記特定のトランジットタイプに対する取引に対して前記アカウントを認可するか否かを決定するようにと、
前記兌換要求が事前認可要求であるか、または、料金兌換要求であるか否かを決定するようにと、前記アカウントに関係付けられている値が、前記料金兌換要求によって要求された額より多いまたは等しい場合、前記取引要求の承認を前記トランジットプロセッサに通信するようにと
をするように構成されるシステム。
［Ｃ１４］
１つ以上のトランジットタイプのうちのそれぞれの上に配置された、または、１つ以上のトランジットタイプのうちのそれぞれに関係付けられている、ポイントオブセールをさらに具備するＣ１３記載のシステム。
［Ｃ１５］
前記１つ以上のトランジットタイプは、タクシーと、バスと、地下鉄と、道路または橋の料金と、駐車メーターと、列車またはライトレールと、トロリーと、車レンタルとからなるグループから選択されるＣ１４記載のシステム。
［Ｃ１６］
政府機関に関係付けられている政府プロセッサをさらに具備し、前記プロセッサは、召喚に関する取引を処理するように構成され、前記中央プロセッサは、前記政府プロセッサと選択的に通信するＣ１３記載のシステム。
［Ｃ１７］
識別しるしを備えるトランジット使用カードと、
識別しるしを備えるトランジットリロードカードとをさらに具備し、
前記トランジット使用カードおよび前記トランジットリロードカードのそれぞれは、互いに関係付けられ、前記第１のデータストア中の前記１つ以上の記録に関係付けられ、  前記トランジットプロセッサは、兌換取引の間、前記トランジット使用カードの前記識別しるしを受け取るように構成され、
前記小売ＰＯＳは、リロード取引の間、前記トランジットリロードカードの前記識別しるしを受け取るように構成されているＣ１３記載のシステム。
［Ｃ１８］
パッケージをさらに具備し、前記パッケージは、
前記トランジット使用カードと、
前記トランジットリロードカードと、
前記トランジット使用カードと前記トランジットリロードカードとをアクティブ化するために前記小売ＰＯＳによって使用されるアクティブ化しるしとを備えるＣ１３記載のシステム。
【外国語明細書】
2020074138000001.pdf